(57)【要約】【課題】スラット端部と対向物との間の隙間を塞ぐことができるブラインドを提供する。【解決手段】ブラインド１００は、ヘッドボックス１１０から昇降可能に吊下げられるスラット１２０を備え、スラット１２０は、少なくとも一方の端部に上下方向に向かって屈曲した屈曲部１２０ａを有することを特徴とする。スラット１２０は、少なくとも一方の端部に上方又は下方に向かって屈曲した屈曲部１２０ａを有することで、スラット１２０を全閉状態まで回動させたとき、ブラインド１００を設置した開口部の側枠やガイドレール枠等の対向物に屈曲部１２０ａを近接又は接触させることができる。かかる構成により、スラット端部と対向物との間の隙間を塞ぐことができるブラインドを提供することができる。【選択図】図１
2020007743.tif 000002
【特許請求の範囲】
【請求項１】
ヘッドボックスから昇降可能に吊下げられるスラットを備えたブラインドにおいて、
前記スラットは、少なくとも一方の端部に上下方向に向かって屈曲した屈曲部を有することを特徴とする、ブラインド。
【請求項２】
前記屈曲部は、前記スラットの端部を折り曲げたものであることを特徴とする、請求項１に記載のブラインド。
【請求項３】
前記屈曲部は、前記スラットの端部に別部品として取付けられたものであることを特徴とする、請求項１に記載のブラインド。
【請求項４】
２つの前記ヘッドボックスが隣り合った状態で平面視非平行に配置され、隣り合った２つの前記スラットのうちの少なくとも一方のスラットの端部に前記屈曲部を有し、一方の前記スラットを閉じた状態において、他方の前記スラットの端部に対して前記屈曲部が近接又は接触することを特徴とする、請求項１〜３のいずれかに記載のブラインド。
【発明の詳細な説明】
【技術分野】
【０００１】
本発明は、ブラインドに関する。
【背景技術】
【０００２】
従来のブラインドとして、実公昭６４−２９３７号公報（特許文献１）に開示されるものがある。この特許文献１に開示されるブラインドは、窓のコーナー部分等へブラインドを配設するにあたって、一方のスラットの端部と、この端部に近接し且つ一方のスラットと同一水平面内に位置する他方のスラットの端部とに、夫々取付け可能な一対の取付け部材を形成し、この一対の取付け部材相互を連結部材を介して接続したものである。
【０００３】
これによれば、一対の取付け部材を相互に接続する連結部材を有する連結具を一方のスラット端部に装着すると、一方のスラット端部と他方のスラット端部との間に隙間が生じる虞れがなくなり、コーナー部分における遮光が確実に行えるという効果を有する。
【先行技術文献】
【特許文献】
【０００４】
【特許文献１】実公昭６４−２９３７号公報
【発明の概要】
【発明が解決しようとする課題】
【０００５】
ところで、特許文献１に開示されるようなブラインドでは、スラット端部同士を近接させることができても、スラット端部の前縁同士が最も近接して後縁方向に向かって離間していくことになる。このため、遮光するためにスラットを閉じた場合には、スラットは短手方向中心線を軸として回転するためにスラット同士が近接した状態にならず、一方のスラット端部と対向物である他方のスラット端部との間に相変わらず隙間が発生してしまうという課題があった。
【０００６】
そこで本発明は、このような問題に鑑みてなされたもので、その目的とするところは、スラット端部と対向物との間の隙間を塞ぐことができるブラインドを提供することにある。
【課題を解決するための手段】
【０００７】
上記課題を解決するために、本発明によれば、ヘッドボックスから昇降可能に吊下げられるスラットを備えたブラインドにおいて、前記スラットは、少なくとも一方の端部に上下方向に向かって屈曲した屈曲部を有することを特徴とする、ブラインドが提供される。
【０００８】
かかる構成によれば、スラットは、少なくとも一方の端部に上方又は下方に向かって屈曲した屈曲部を有することで、スラットを全閉状態まで回動させたとき、ブラインドを設置した開口部の側枠やガイドレール枠等の対向物に屈曲部を近接又は接触させることができ、スラット端部と対向物との間の隙間を塞ぐことができる。
【０００９】
本発明は様々な応用が可能である。例えば、前記屈曲部は、前記スラットの端部を折り曲げたものであってもよい。スラット端部を曲げ加工するのみで屈曲部を備えることができ、部品点数を従来のままとしながら、対向物との間の光漏れ防止効果を向上させることができる。
【００１０】
また、前記屈曲部は、前記スラットの端部に別部品として取付けられたものであってもよい。各スラット端部に別部材を取付けることで屈曲部を備えることができ、ヘッドボックス幅とスラット幅が同等の従来のブラインドであっても、スラット端部に屈曲部を取付けるだけで、ヘッドボックス幅よりもスラット幅が長くなって対向物に接近するようになり、対向物との間の光漏れ防止効果を向上させることができる。
【００１１】
また、２つの前記ヘッドボックスが隣り合った状態（又は隣接した状態）で平面視非平行に配置され、隣り合った（又は隣接した）２つの前記スラットのうちの少なくとも一方のスラットの端部に前記屈曲部を有し、一方の前記スラットを閉じた状態において、他方の前記スラットの端部に対して前記屈曲部が近接又は接触するようにしてもよい。コーナー部において２つのヘッドボックスを設置したとき、左右に隣り合う一方のスラットを閉じた状態において、他方のスラットのスラット端部に対して屈曲部が近接又は接触するため、コーナー部における左右に隣り合うスラットの間からの光漏れを防止することができる。
【発明の効果】
【００１２】
本発明によれば、スラット端部と対向物との間の隙間を塞ぐことができるブラインドを提供することができる。本発明のその他の効果については、後述する発明を実施するための形態においても説明する。
【図面の簡単な説明】
【００１３】
【図１】第１の実施形態のブラインド１００の全体構成を示す正面図である。
【図２】スラット１２０の端部近傍の平面図であり、（ａ）はスラット１２０が全開状態（水平時）を示す図であり、（ｂ）はスラット１２０が全閉状態（垂直時）を示す図である。
【図３】第２の実施形態のブラインド２００を説明するための図である。
【図４】左に配置されるヘッドボックス２１０−１及びスラット２２０−１を説明するための図であり、（ａ）はスラット２２０−１が全開状態（水平時）を示す図であり、（ｂ）はスラット２２０−１が全閉状態（垂直時）を示す図である。
【図５】ブラインド２００の動作を説明するための図であり、（ａ）は左右のスラット２２０−１、２２０−２が全開状態（水平時）を示す図であり、（ｂ）は左右のスラット２２０−１、２２０−２が全閉状態（垂直時）を示す図である。
【図６】第３の実施形態のブラインド３００を説明するためのスラット３２０の端部付近を示す正面図である。
【図７】スラット３２０の近傍付近の斜視図であり、（ａ）はスラット３２０と屈曲部３７０とが分解された状態を示す図であり、（ｂ）はスラット３２０に屈曲部３７０を取付けた状態を示す図である。
【図８】第４の実施形態のブラインド４００を設置した状態を説明するための図である。
【図９】ブラインド４００の動作を説明するための図であり、（ａ）は左右のスラット４２０−１、４２０−２が全開状態（水平時）を示す図であり、（ｂ）は左右のスラット４２０−１、４２０−２が全閉状態（垂直時）を示す図である。
【発明を実施するための形態】
【００１４】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１５】
（第１の実施形態）
第１の実施形態に係るブラインド１００の構成について、図１を参照しながら説明する。図１は、本実施形態のブラインド１００の全体構成を示す正面図である。
【００１６】
ブラインド１００は、図１に示したように、ヘッドボックス１１０から昇降可能に吊下げられるスラット１２０を備え、スラット１２０は、少なくとも一方の端部に上下方向に向かって屈曲した屈曲部１２０ａを有することを特徴とする。以下、各構成要素について詳細に説明する。なお、以下の説明において、水平及び垂直とは、略水平及び略垂直も含む。
【００１７】
（ヘッドボックス１１０）
ヘッドボックス１１０は、図示していない窓枠や天井等にブラケット１１２を介して固定される。ヘッドボックス１１０には、図１に示したように、複数のスラット１２０を整列状態に吊下げるラダーコード１３０と、スラット１２０を昇降させる昇降コード１４０とが垂下している。ヘッドボックス１１０の一端には、ラダーコード１３０の傾動を操作する回転操作棒１１４と、昇降コード１４０の移動を拘束するストッパ１１６とが設けられている。
【００１８】
ラダーコード１３０は、傾動することによりスラット１２０を傾動させものである。ラダーコード１３０の傾動は、図１に示した回転操作棒１１４を回転させることによって操作される。ラダーコード１３０を作動させる機構は一般的な機構を用いることができる。
【００１９】
昇降コード１４０は、図１に示したように、一端がスラット１２０の下方に配置されるボトムレール１５０に連結されている。昇降コード１４０の他端は、複数のスラット１２０を順次挿通するか、複数のスラット１２０の前後の縁部に沿って上昇し、ヘッドボックス１１０内を通ってストッパ１１６を介して一端から導出される。ヘッドボックス１１０から導出された昇降コード１４０の一端はコード止め１４２に連結される。コード止め１４２とボトムレール１５０は、補助コード１４４によって連結される。昇降コード１４０の一端、コード止め１４２、又は補助コード１４４のいずれかを操作してボトムレール１５０を昇降することによりスラット１２０が昇降する。
【００２０】
（スラット１２０）
複数のスラット１２０は、開口部を遮蔽したり開放したりするものである。複数のスラット１２０は、図１に示したように、ラダーコード１３０によって整列状態に支持されてスラット群を構成しており、ラダーコード１３０が傾動することによって傾動する。複数のスラット１２０は、前述のように、これらの下方に配置されるボトムレール１５０に下端が連結された昇降コード１４０が昇降することによって昇降する。
【００２１】
スラット１２０の左右の両端部は、図１に示したように、水平状態のときに下方向に向かって屈曲した屈曲部１２０ａを有する。屈曲部１２０ａは、スラット１２０が全閉状態のときには、前方に突出する。屈曲部１２０aは、スラット１２０の端部の近傍の位置を起端部として曲げ加工して形成される。
【００２２】
ボトムレール１５０は、図１に示したように、スラット１２０の屈曲部１２０ａを除いた部分に配置されている。このため、ボトムレール１５０は、後述する左右のフレーム１６０内にスラット１２０の屈曲部１２０ａが配置されることで、両端部の一部がフレーム１６０内に配置される。
【００２３】
フレーム１６０は、図１に示したように、ブラインド１００を設置する窓枠などの開口部の側枠に設けられる。ブラインド１００は、ヘッドボックス１１０の両端部とスラット１２０の屈曲部１２０ａがフレーム１６０内に配置されるように設置される。フレーム１６０の前後方向の寸法は、スラット１２０から屈曲部１２０ａが突出する大きさの約２倍である。すなわち、後述する図２（ｂ）に示したように、スラット１２０が全閉状態のときに屈曲部１２０ａの先端がフレーム１６０の前壁１６０ａに当接する幅である。
【００２４】
以上、ブラインド１００の構成について説明した。次に、ブラインド１００の動作について、図２を参照しながら説明する。図２は、スラット１２０の端部近傍の平面図であり、（ａ）はスラット１２０が全開状態（水平時）を示す図であり、（ｂ）はスラット１２０が全閉状態（垂直時）を示す図である。
【００２５】
ブラインド１００は、図２（ａ）に示したように、全開状態になると、スラット１２０が水平状態になる。よって、屈曲部１２０ａがフレーム１６０内で下方に傾斜した状態で配置される。ブラインド１００が、図２（ｂ）に示したように、全閉状態になると、スラット１２０が垂直状態に傾動する。よって、屈曲部１２０ａの先端が、図中Ａに示したように、フレーム１６０の前壁１６０ａに接触するため、開口部と室内とがスラット１２０とフレーム１６０によって遮断される。よって、開口部からフレーム１６０内を回りこむ光漏れが防止される。
【００２６】
（第１の実施形態の効果）
以上説明したように、本実施形態によれば、スラット１２０は、端部に下方に向かって屈曲した屈曲部１２０ａを有することで、スラット１２０を全閉状態まで回動させたとき、ブラインド１００を設置した開口部の側枠やガイドレール枠等の対向物に屈曲部を近接させることができ、スラット１２０の端部と対向物との間の隙間を塞ぐことができる。
【００２７】
また、スラット１２０の端部を曲げ加工するのみで屈曲部１２０ａを備えることができ、部品点数を従来のままとしながら、対向物との間の光漏れ防止効果を向上させることができる。
【００２８】
（第２の実施形態）
次に、第２の実施形態に係るブラインド２００について、図３を参照しながら説明する。図３は、第２の実施形態のブラインド２００を説明するための図である。本実施形態は、ブラインド２００の構成が第１の実施形態のブラインド１００の構成と異なるものである。本実施形態では、上記第１の実施形態と異なる点を中心に説明する。実質的に同一の機能構成を有する構成要素については、同一の符号を付することにより重複説明を省略する。
【００２９】
ブラインド２００は、図３に示したように、２つのヘッドボックス２１０−１、２１０−２が隣り合った状態で平面視非平行に配置され、左右に隣り合う２つのスラット２２０−１、２２０−２のうちの左のスラット２２０−１の端部に屈曲部２２０ａを有し、左右のスラット２２０−１、２２０−２を閉じた状態において、右のスラット２２０−２の端部に対して屈曲部２２０ａが近接又は接触するように構成されている。２つのヘッドボックス２１０−１、２１０−２を隣り合った状態で平面視非平行に配置する場所としては、例えば、コーナー部などがあげられる。
【００３０】
まず、左に配置されるヘッドボックス２１０−１及びスラット２２０−１の構成について、図４を参照しながら説明する。図４は、左に配置されるヘッドボックス２１０−１及びスラット２２０−１を説明するための図であり、（ａ）はスラット２２０−１が全開状態（水平時）を示す図であり、（ｂ）はスラット２２０−１が全閉状態（垂直時）を示す図である。
【００３１】
左のヘッドボックス２１０−１には、ラダーコード２３０及び昇降コード２４０の上端が巻取り及び巻解き可能に連結され、ラダーコード２３０を傾動させるとともに昇降コード２４０を昇降させる複数の昇降回転ドラム２１２と、昇降回転ドラム２１２を回転させるためのモータ２１４と、複数の昇降回転ドラム２１２同士を連結するとともに昇降回転ドラム２１２に対してモータ２１４の駆動力を伝達する駆動軸２１９と、駆動軸２１９の回転量を検出するエンコーダ２１６と、エンコーダ２１６により検出された回転量に基づいてモータ２１４の駆動を制御する制御ユニット２１８と、が設けられる。
【００３２】
左のスラット２２０−１は、図４（ａ）に示したように、右端部のみに屈曲部２２０ａが設けられている。屈曲部２２０ａは左のヘッドボックス２１０−１から右方向に突出している。屈曲部２２０ａは、スラット２２０が全開状態（水平時）のときに下方に屈曲する。また、屈曲部２２０ａは、スラット２２０が全閉状態（垂直時）のときには、図４（ｂ）に示したように、前方に屈曲するように構成されている。左のボトムレール２５０−１は、屈曲部２２０ａを除いた左のスラット２２０−１の下方に配置されている。
【００３３】
次に、右に配置されるヘッドボックス２１０−２及びスラット２２０−２の構成について、再び図３を参照しながら説明する。右のヘッドボックス２１０−２の内部の構造は左のヘッドボックス２１０−１と同様である。右のスラット２２０−２には、屈曲部は設けられていない。右のスラット２２０−２の左端部は、右のヘッドボックス２１０−２から左方向に突出する突出部２２０ｂを構成している。突出部２２０ｂは右のスラット２２０−２と同じ形状である。左右に隣り合うスラット２２０−１、２２０−２の屈曲部２２０ａと突出部２２０ｂは近接して配置されている。右のボトムレール２５０−２は、突出部２２０ｂを除いた右のスラット２２０−２の下方に配置されている。
【００３４】
以上、本実施形態のブラインド２００の構成について説明した。次に、本実施形態のブラインド２００の動作について、図５を参照しながら説明する。図５は、ブラインド２００の動作を説明するための図であり、（ａ）は左右のスラット２２０−１、２２０−２が全開状態（水平時）を示す図であり、（ｂ）は左右のスラット２２０−１、２２０−２が全閉状態（垂直時）を示す図である。
【００３５】
左右のスラット２２０−１、２２０−２が全開状態になると、図５（ａ）に示したように、左右のスラット２２０−１、２２０−２が水平状態になる。このとき、屈曲部２２０ａと突出部２２０ｂとは、上から見ると端部同士が近接しているが、正面から見ると屈曲部２２０ａが上下に隣り合う突出部２２０ｂの間に配置されるような状態になる。
【００３６】
左右のスラット２２０−１、２２０−２が全閉状態になると、図５（ｂ）に示したように、左右のスラット２２０−１、２２０−２が垂直状態に傾動し、屈曲部２２０ａが、図中Ａに示したように、突出部２２０ｂの先端に接触する。このため、開口部と室内とが左右のスラット２２０−１、２２０−２によって遮断される。よって、コーナーからの光漏れが防止される。
【００３７】
なお、本実施形態では、左のスラット２２０−１が屈曲部２２０ａを、右のスラット２２０−２が突出部２２０ｂを備える構成としたが、屈曲部と突出部を備えるスラットを左右逆にしてもよく、さらには、左右両方のスラットが屈曲部を備えるようにしてもよい。
【００３８】
（第２の実施形態の効果）
以上説明したように、本実施形態によれば、コーナー部において２つのヘッドボックス２１０−１、２２０−２を設置したとき、左右のスラット２２０−１、２２０−２を閉じた状態において、屈曲部２２０ａと突出部２２０ｂとが近接又は接触するため、コーナー部におけるブラインド２００の光漏れを防止することができる。
【００３９】
（第３の実施形態）
次に、第３の実施形態に係るブラインド３００について、図６を参照しながら説明する。図６は、第３の実施形態のブラインド３００を説明するためのスラット３２０の端部付近を示す正面図である。本実施形態は、スラット３２０の屈曲部３７０がスラット３２０とは別部品である点が第１の実施形態と異なるものである。本実施形態では、上記第１の実施形態と異なる点を中心に説明する。実質的に同一の機能構成を有する構成要素については、同一の符号を付することにより重複説明を省略する。
【００４０】
ブラインド３００は、図６に示したように、屈曲部３７０が、スラット３２０の端部に別部品として取付けられたものである。屈曲部３７０は、スラット３２０が水平状態のときに、下方に向かって傾斜するように構成されている。
【００４１】
スラット３２０の端部及び屈曲部３７０の構成について、図７を参照しながら説明する。図７は、スラット３２０の近傍付近の斜視図であり、（ａ）はスラット３２０と屈曲部３７０とが分解された状態を示す図であり、（ｂ）はスラット３２０に屈曲部３７０を取付けた状態を示す図である。屈曲部３７０は、スラット３２０の端部に連結されるリブ３７２を備えている。屈曲部３７０はリブ３７２に対して屈曲している。屈曲部３７０の角度は任意に設計することができる。
【００４２】
リブ３７２は、図７（ａ）に示したように、スラット３２０の上面、前後の側縁部から下面の両側縁部に沿った形状されており、端部の挿入口３７２ａから内部にスラット３２０の端部が挿入される。リブ３７２の上部には凸部３７２ｂが下方に突出している。スラット３２０の端部には、図７（ａ）に示したように、凸部３７２ｂが嵌合する孔部３２０ａが形成されている。
【００４３】
スラット３２０の端部への屈曲部３７０の取付けは、図７（ｂ）に示したように、リブ３７２の挿入口３７２ａからリブ３７２の内部にスラット３２０の端部を挿入する。すると、リブ３７２の凸部３７２ｂがスラット３２０の孔部３２０ａに嵌合して、抜け止めされる。よって、スラット３２０に屈曲部３７０が取付けられる。
【００４４】
（第３の実施形態の効果）
以上説明したように、本実施形態によれば、各スラット３２０の端部に別部材を取付けることで屈曲部３７０を備えることができ、ヘッドボックス幅とスラット幅が同等の従来のブラインドであっても、スラット３２０の端部に屈曲部３７０を取付けるだけで、ヘッドボックス３１０の幅よりもスラット３２０の幅が長くなって対向物に接近するようになり、スラット３２０を全閉状態まで回動させたとき、対向物との間の光漏れ防止効果を向上させることができる。
【００４５】
（第４の実施形態）
次に、第４の実施形態に係るブラインド４００について、図８を参照しながら説明する。図８は、第４の実施形態のブラインド４００の全体構成を示す正面図である。本実施形態は、左右のヘッドボックス４１０−１、４１０−２を２台並べて設置した点、スラット４２０−１、４２０−２の左右の両端部に水平状態のときに上方向に向かって屈曲した屈曲部４２０ａ−１、４２０ａ−２を有する点が第１の実施形態のブラインド１００と異なるものである。本実施形態では、上記第１の実施形態と異なる点を中心に説明する。実質的に同一の機能構成を有する構成要素については、同一の符号を付することにより重複説明を省略する。
【００４６】
本実施形態のヘッドボックス４１０、スラット４２０、屈曲部４２０ａは、第１の実施形態のヘッドボックス４１０、スラット４２０、屈曲部４２０ａに対応するため、説明を省略する。
【００４７】
左のヘッドボックス４１０−１と右のヘッドボックス４１０−２は、図８に示したように、左右に並んで配置されており、左のスラット４２０−１と右のスラット４２０−２の隣り合う左の屈曲部４２０ａ−１と右の屈曲部４２０ａ−２は、近接して配置されている。
【００４８】
以上、ブラインド４００の構成について説明した。次に、ブラインド４００の動作について、図９を参照しながら説明する。図９は、ブラインド４００の動作を説明するための図であり、（ａ）は左右のスラット４２０−１、４２０−２が全開状態（水平時）を示す図であり、（ｂ）は左右のスラット４２０−１、４２０−２が全閉状態（垂直時）の状態を示す図である。左右のスラット４２０−１、４２０−２が全開状態のときは、図９（ａ）に示したように、左右のスラット４２０−１、４２０−２は水平状態になり、左右の屈曲部４２０ａ−１、４２０ａ−２の隣り合う端部同士が接近して配置される。
【００４９】
左右のスラット４２０−１、４２０−２を全閉状態にすると、図９（ｂ）に示したように、左右の屈曲部４２０ａ−１、４２０ａ−２の先端が室外側に突出するように傾斜して配置される。よって、左右の屈曲部４２０ａ−１、４２０ａ−２は左右のスラット４２０−１、４２０−２に対してほぼ直交する位置を除いたほぼ全ての太陽の角度において、光を反射できる。
【００５０】
（第４の実施形態の効果）
以上説明したように、本実施形態によれば、左右のスラット４２０−１、４２０−２を全閉状態にすると、左右の屈曲部４２０ａ−１、４２０ａ−２の先端が室外側に突出するように傾斜して配置される。よって、左右の屈曲部４２０ａ−１、４２０ａ−２はほぼ全ての太陽の角度において、光を反射できるため、遮光性が向上する。
【００５１】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５２】
以上説明した実施形態・応用例・変形例等は、適宜組み合わせて実施することができる。
【符号の説明】
【００５３】
１００、２００、３００、４００  ブラインド
１１０、３１０  ヘッドボックス
１１２  ブラケット
１１６  ストッパ
１２０、３２０  スラット
１２０ａ、２２０ａ、３７０  屈曲部
１３０、２３０  ラダーコード
１４０、２４０  昇降コード
１４２  コード止め
１４４  補助コード
１５０  ボトムレール
１６０  フレーム
２１０−１  左のヘッドボックス
２１０−２  右のヘッドボックス
２１２  昇降回転ドラム
２１４  モータ
２１６  エンコーダ
２１８  制御ユニット
２２０−１  左のスラット
２２０−２  右のスラット
２２０ｂ  突出部
２５０−１  左のボトムレール
２５０−２  右のボトムレール
３２０ａ  孔部
３７２  リブ
３７２ａ  挿入口
３７２ｂ  凸部
４１０−１  左のヘッドボックス
４１０−２  右のヘッドボックス
４２０−１  左のスラット
４２０−２  右のスラット
４２０ａ−１  左の屈曲部
４２０ａ−２  右の屈曲部
【図１】
2020007743.tif 000003
【図２】
2020007743.tif 000004
【図３】
2020007743.tif 000005
【図４】
2020007743.tif 000006
【図５】
2020007743.tif 000007
【図６】
2020007743.tif 000008
【図７】
2020007743.tif 000009
【図８】
2020007743.tif 000010
【図９】
2020007743.tif 000011